(57)【要約】【課題】簡単な構造で高音域と低音域の鍵荷重を変えて、部品点数の削減を図り、アコースティックピアノの鍵タッチ感に近似した鍵タッチ感を得る。【解決手段】鍵２の延出部４０に第１、第２ハンマーガイド溝４４、４５を上下平行に設け、上側の第１ハンマーガイド溝４４で高音域側のハンマーアーム３のハンマー突起２９ｂをガイドし、下側の第２ハンマーガイド溝４５で低音域側のハンマーアーム３のハンマー突起２９ｂをガイドした。従って、高音域側の鍵２の回転モーメントを低音域側よりも小さくし、高音域側の鍵荷重を低音域側よりも軽くできる。このため、アコースティックピアノの鍵タッチ感に近似した鍵タッチ感を得ることができると共に、鍵２の延出部４０に第１、第２ハンマーガイド溝４４、４５を設けるだけの簡単な構造で、全音域に亘る鍵２およびハンマーアーム３などの部品の共通化が図れ、部品点数の削減を図ることができる。【選択図】        図１
2004252246.tif 000002
【特許請求の範囲】
【請求項１】
鍵盤シャーシと、この鍵盤シャーシ上に上下方向に回動可能に配置された複数の鍵と、これら複数の鍵それぞれに対応して配置され、前記鍵の押鍵操作に伴って回動変位して前記鍵にアクション荷重を付与するハンマーアームとを備えた鍵盤装置において、
前記鍵に延出部を該鍵の下方に突出させて延設し、この延出部に前記ハンマーアームの一端部を移動可能にガイドする複数のハンマーガイド部を前記鍵の長手方向に沿ってほぼ平行に設けたことを特徴とする鍵盤装置。
【請求項２】
鍵盤シャーシと、この鍵盤シャーシ上に上下方向に回動可能に配置された複数の鍵と、これら複数の鍵それぞれに対応して配置され、前記鍵の押鍵操作に伴って回動変位して前記鍵にアクション荷重を付与するハンマーアームとを備えた鍵盤装置において、
前記鍵に延出部を該鍵の下方に突出させて延設し、この延出部に前記ハンマーアームの一端部を移動可能にガイドして前記鍵に付与されるアクション荷重を変化させるハンマーガイド部を前記鍵の長手方向に沿って設けたことを特徴とする鍵盤装置。
【請求項３】
前記ハンマーガイド部には、押鍵時に前記ハンマーアームの前記一端部が摺動するガイド面が、前記鍵の下方に向けて凸となる形状に形成されていることを特徴とする請求項２に記載の鍵盤装置。
【請求項４】
前記ハンマーガイド部は、前記延出部にほぼ平行に複数設けられていることを特徴とする請求項２または３に記載の鍵盤装置。
【請求項５】
前記延出部には、前記鍵盤シャーシの鍵ガイドによってガイドされる鍵ガイド部と、前記鍵の上限位置を規制する上限ストッパ部との少なくとも一方が設けられていることを特徴とする請求項１または２に記載の鍵盤装置。
【請求項６】
前記ハンマーアームには回動部が設けられ、この回動部には複数の回動中心部が前記ハンマーアームの長手方向に沿って設けられ、これら複数の回動中心部のいずれかが前記鍵盤シャーシに回動可能に支持されることを特徴とする請求項１または２に記載の鍵盤装置。
【発明の詳細な説明】
【０００１】
【発明の属する技術分野】
この発明は、電子ピアノなどの鍵盤楽器に用いられる鍵盤装置に関する。
【０００２】
【従来の技術】
従来、電子ピアノなどの鍵盤楽器においては、アコースティックピアノの鍵タッチ感に近似した鍵タッチ感を得るために、鍵の下側に錘部を有するハンマーアームを上下方向に回動可能に設け、鍵の押鍵操作に伴ってハンマーアームがその錘部の重量に抗して回動することにより、鍵に所定のアクション荷重を付与するほか、鍵の低音域における鍵荷重を重くし、鍵の高音域の鍵荷重を軽くするようにしたものがある（例えば、特許文献１参照。）。
また、電子ピアノなどの鍵盤楽器には、アコースティックピアノの鍵タッチ感に近似した鍵タッチ感を得るために、錘部を有するハンマーアームによって押鍵時に鍵に所定のアクション荷重を付与するほか、押鍵時における最深位置付近で鍵荷重を急激に軽くして鍵に抜ける感じのクリック感を付与する所謂レットオフ効果が得られるようにしたものもある（例えば、特許文献２参照。）。
【０００３】
【特許文献１】
特開平１０−２４０２３２号公報
【特許文献２】
特開平６−２３０７７０号公報
【０００４】
【発明が解決しようとする課題】
特許文献１の鍵盤楽器では、鍵の低音域と高音域とで鍵荷重を変えるために、鍵の内部に支持軸を設け、この支持軸にハンマーアームの一端部を回動可能に取り付け、且つ鍵盤シャーシ上にハンマーアームを回動可能に支持するハンマー支持部をハンマーアームの長手方向に移動可能に設け、このハンマー支持部を鍵の長手方向に適宜移動させて鍵に付与されるハンマーアームの荷重を変えている。
しかしながら、このような鍵盤楽器では、鍵の低音域と高音域とで鍵荷重を変えるために、鍵盤シャーシにハンマー支持部を移動可能に設けなければならず、このため構造が複雑になるばかりか、ハンマー支持部を移動させて固定するための専用の部品も必要となり、部品点数が増加し、組み立て作業も煩雑になるという問題がある。
【０００５】
また、特許文献２の鍵盤楽器では、押鍵時における最深位置付近で鍵荷重を急激に軽くしてレットオフ効果を付与するために、押鍵動作に伴って回動するハンマーアームの後方に板ばね状の弾性体を配置し、この弾性体にハンマーアームの後端部が当接するローラなどの当接部を設け、押鍵時にハンマーアームの後端部が弾性体の当接部に当接すると、弾性体が弾性変形してハンマーアームの後端部が当接部を乗り越えることにより、押鍵時の最深位置付近で鍵荷重を急激に軽くしている。
しかしながら、このような鍵盤楽器では、レットオフ効果を付与することができても、ハンマーアームの後方に板ばね状の弾性体を設け、この弾性体にローラなどの当接部を設けなければならないため、その構造が複雑で、部品点数も多く、しかも押鍵動作に伴ってハンマーアームが回動するときに、このハンマーアームの後端部が当接部に当接して弾性変形させなければならないため、その位置調節が面倒で、組み立て作業性も悪いという問題がある。
【０００６】
この発明の第１の課題は、簡単な構造で鍵の高音域と低音域とで鍵荷重を変えることができ、これにより部品点数の削減を図ると共に、アコースティックピアノの鍵タッチ感に近似した鍵タッチ感が得られるようにすることである。
【０００７】
また、この発明の第２の課題は、簡単な構造で押鍵時における最深位置付近で鍵荷重が急激に軽くなるレットオフ効果を付与することができ、これにより部品点数の削減および組み立て作業性の向上を図ると共に、アコースティックピアノの鍵タッチ感に近似した鍵タッチ感が得られるようにすることである。
【０００８】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１０に示すように、鍵盤シャーシ（１）と、この鍵盤シャーシ上に上下方向に回動可能に配置された複数の鍵（２）と、これら複数の鍵それぞれに対応して配置され、前記鍵の押鍵操作に伴って回動変位して前記鍵にアクション荷重を付与するハンマーアーム（３）とを備えた鍵盤装置において、前記鍵に延出部（４０）を該鍵の下方に突出させて延設し、この延出部に前記ハンマーアームの一端部（鍵当接部２９のハンマー突起２９ｂ）を移動可能にガイドする複数のハンマーガイド部（第１、第２ハンマーガイド溝４４、４５）を前記鍵の長手方向に沿ってほぼ平行に設けたことを特徴とする鍵盤装置である。
【０００９】
この発明によれば、鍵の延出部に設けられた複数のハンマーガイド部のうち、上側に位置するハンマーガイド部（第１ハンマーガイド溝４４）でハンマーアームの一端部を移動可能にガイドする第１の場合と、下側に位置するハンマーガイド部（第２ハンマーガイド溝４５）でハンマーアームの一端部を移動可能にガイドする第２の場合とで、ハンマーアームの一端部が上下の各ハンマーガイド部（第１、第２ハンマーガイド溝４４、４５）に当接した各位置（Ｐ１、Ｐ２）から鍵の回動中心（鍵支持軸２２）までの各距離（Ｌ１、Ｌ２）が異なり、これにより第１の場合と第２の場合とで鍵の回転モーメントに差が生じ、これによって第１の場合と第２の場合とで鍵荷重を変えることができる。
【００１０】
すなわち、上側のハンマーガイド溝と下側のハンマーガイド溝とでは、延出部における高さが異なるため、例えば、高音域のハンマーアームの一端部を上側のハンマーガイド部（第１ハンマーガイド溝４４）でガイドする第１の場合と、低音域のハンマーアームの一端部を下側のハンマーガイド部（第２ハンマーガイド溝４５）でガイドする第２の場合とでは、高音域の第１の場合における距離（Ｌ１）が低音域の第２の場合における距離（Ｌ２）よりも短く（Ｌ１＜Ｌ２）なり、これにより高音域側の第１の場合における鍵の回転モーメントが低音域側の第２の場合よりも小さくなるため、高音域の第１の場合における押鍵時の鍵荷重を低音域の第２の場合よりも軽くすることができ、これによりアコースティックピアノの鍵タッチ感に近似した鍵タッチ感を得ることができる。
【００１１】
このように、鍵の延出部に複数のハンマーガイド部を鍵の長手方向に沿ってほぼ平行に設けるだけで良いので、構造が簡単であり、しかも鍵の延出部に設けられた複数のハンマーガイド部のいずれかでハンマーアームの一端部をガイドするだけで良いので、簡単に高音域と低音域とで鍵荷重を変えることができ、このため高音域から低音域の全音域に亘って鍵およびハンマーアームなどの部品の共通化を図ることができ、これにより部品点数の削減を図ることができると共に、組み立て作業性の良いものを得ることができる。
【００１２】
請求項２に記載の発明は、図１１〜図１５に示すように、鍵盤シャーシ（１）と、この鍵盤シャーシ上に上下方向に回動可能に配置された複数の鍵（２）と、これら複数の鍵それぞれに対応して配置され、前記鍵の押鍵操作に伴って回動変位して前記鍵にアクション荷重を付与するハンマーアーム（３）とを備えた鍵盤装置において、前記鍵に延出部（４０）を該鍵の下方に突出させて延設し、この延出部に前記ハンマーアームの一端部（鍵当接部２９のハンマー突起２９ｂ）を移動可能にガイドして前記鍵に付与されるアクション荷重を変化させるハンマーガイド部（ハンマーガイド溝５０、または第１、第２ハンマーガイド溝５５、５６）を前記鍵の長手方向に沿って設けたことを特徴とする鍵盤装置である。
【００１３】
この発明によれば、ハンマーアームの一端部を鍵の延出部に設けられたハンマーガイド部で移動可能にガイドしたので、鍵を押鍵して延出部を下方に変位させると、これに伴ってハンマーアームの一端部が下方に押し下げられながらハンマーガイド部でガイドされることになり、このときにハンマーガイド部によって鍵に付与されるアクション荷重を変化させることができるので、ハンマーガイド部の形状を所望の形状に形成することにより、押鍵時における最深位置付近で鍵荷重が急激に軽くなるレットオフ効果を付与することができ、これによりアコースティックピアノの鍵タッチ感に近似した鍵タッチ感を得ることができる。このため、鍵の延出部にハンマーガイド部を鍵の長手方向に沿って設けるだけで良いので、構造が簡単で、先行文献のようなレットオフ効果を付与する専用の部品が不要であるから、部品点数を大幅に削減することができると共に、組み立て作業性の良いものを得ることができる。
【００１４】
請求項３に記載の発明は、図１１〜図１５に示すように、前記ハンマーガイド部（ハンマーガイド溝５０、または第１、第２ハンマーガイド溝５５、５６）に、押鍵時に前記ハンマーアーム（３）の前記一端部（鍵当接部２９のハンマー突起２９ｂ）が摺動するガイド面（５１）が、前記鍵の下方に向けて凸となる形状に形成されていることを特徴とする請求項２に記載の鍵盤装置である。
この発明によれば、押鍵時にハンマーアームの一端部が摺動するガイド面が鍵の下方に向けて凸となる形状に形成されているため、押鍵時にハンマーアームの一端部がガイド面に沿って移動してガイド面の凸形状の先端つまり最下部に到達するまでの間は鍵荷重を重くすることができ、ガイド面の凸形状の先端を乗り越えると、鍵荷重が急激に軽くなり、これにより押鍵時における最深位置付近で鍵荷重を急激に軽くして鍵に抜ける感じのクリック感を付与することができるので、良好にレットオフ効果を得ることができる。
【００１５】
請求項４に記載の発明は、図１５に示すように、前記ハンマーガイド部が、前記延出部（４０）にほぼ平行に複数（第１、第２ハンマーガイド５５、５６）設けられていることを特徴とする請求項２または３に記載の鍵盤装置である。
この発明によれば、請求項２に記載の発明と同様、複数のハンマーガイド部によって押鍵時における最深位置付近で鍵荷重が急激に軽くなるレットオフ効果を付与することができるほか、特にハンマーガイド部が延出部に複数設けられているので、請求項１に記載の発明と同様、複数のハンマーガイド部のうち、上側に位置するハンマーガイド部でハンマーアームの一端部を移動可能にガイドする第１の場合と、下側に位置するハンマーガイド部でハンマーアームの一端部を移動可能にガイドする第２の場合とで、鍵の回転モーメントを異ならせて鍵荷重を変えることができ、これにより鍵の高音域と低音域とで鍵荷重をも変えることができるので、請求項３に記載の発明よりも、更にアコースティックピアノの鍵タッチ感に近似した鍵タッチ感を得ることができる。
【００１６】
請求項５に記載の発明は、図１〜図１５に示すように、前記延出部（４０）に、前記鍵盤シャーシ（１）の鍵ガイド（９）によってガイドされる鍵ガイド部（４３）と、前記鍵（２）の上限位置を規制する上限ストッパ部（４６）との少なくとも一方が設けられていることを特徴とする請求項１または２に記載の鍵盤装置である。
この発明によれば、鍵の延出部に鍵ガイド部が設けられていれば、この鍵ガイド部が鍵盤シャーシの鍵ガイドによってガイドされるので、鍵の横振れを防ぐことができ、これによりハンマーアームの横振れをも防ぐことができるので、鍵およびハンマーアームを上下方向に円滑に動作させることができる。また、鍵の延出部に上限ストッパ部が設けられていれば、ハンマーアームがそれ自身の重量で回動して鍵を上方に付勢しても、延出部の上限ストッパ部によって鍵の上限位置を規制することができるので、非押鍵時に鍵およびハンマーアームを常に所定の初期位置に規制することができる。
【００１７】
請求項６に記載の発明は、図１〜図１５に示すように、前記ハンマーアーム（３）に回動部（３０）が設けられ、この回動部には複数の回動中心部（第１〜第３係止凹部３４〜３６）が前記ハンマーアームの長手方向に沿って設けられ、これら複数の回動中心部のいずれかが前記鍵盤シャーシ（１）に回動可能に支持されることを特徴とする請求項１または２に記載の鍵盤装置である。
この発明によれば、ハンマーアームの回動部に設けられた複数の回動中心部のいずれかを適宜選択してハンマーアームを鍵盤シャーシ１に対し回動可能に支持することにより、ハンマーアームの回転モーメントを変えることができるので、ハンマーアームによる鍵荷重を簡単に且つ容易に変更することができ、これによっても鍵の高音域と低音域とで鍵荷重を変えることができるので、より一層、アコースティックピアノの鍵タッチ感に近似した鍵タッチ感を得ることができる。
【００１８】
【発明の実施の形態】
［第１実施形態］
以下、図１〜図１０を参照して、この発明の鍵盤装置の第１実施形態について説明する。
この鍵盤装置は、図１〜図３に示すように、合成樹脂製の鍵盤シャーシ１と、この鍵盤シャーシ１上に上下方向に回動可能に設けられた合成樹脂製の複数の鍵（白鍵と黒鍵、ただしここでは白鍵について説明する。）２と、これら複数の鍵２にそれぞれアクション荷重を付与するハンマーアーム３と、各鍵２の押鍵動作に応じてオン信号を出力するゴムスイッチ４とを備えている。
【００１９】
鍵盤シャーシ１は、図１〜図３に示すように、楽器本体の下部ケースを構成するものであり、その前端部（図３では右端部）には、鍵２の前端面に対応する前カバー部５が底部から上方に突出して形成されている。この前カバー部５の後部における中段部６の上部には、鍵２の下限位置を規制するフェルトなどの下限ストッパ７が設けられている。また、この前カバー部５の後部側には、ガイド載置部８が前カバー部５の高さのほぼ半分程度の高さで形成されている。このガイド載置部８の上部には、鍵２の横振れを防ぐための鍵ガイド９が鍵２の後方（図３では左側）に向けて突出した先端部からほぼ垂直に起立した状態で形成されている。さらに、このガイド載置部８の上部における下面には、鍵２の上限位置を規制するフェルトなどの上限ストッパ１０が設けられている。
【００２０】
また、鍵盤シャーシ１の中間部における前部側には、図３に示すように、鍵盤シャーシ１の強度を確保するための前側補強部１１とハンマー載置部１２とが前後に形成されている。ハンマー載置部１２は、ガイド載置部８の高さのほぼ半分程度の高さに形成されており、その上面には、ハンマー支持部１３が形成されている。このハンマー支持部１３は、図５に示すように、互いに対向する一対の支持片１３ａの対向面に支持突起１３ｂを互いに対向させて設けた構造になっている。また、ガイド載置部８の下面およびハンマー載置部１２の下面には、図３に示すように、取付ボス１４がそれぞれ垂下されており、これら取付ボス１４の下端部には、ガイド載置部８、前側補強部１１、およびハンマー載置部１２の各底部を連続して塞ぐ前側の底板１５がビス１６によって取り付けられている。
【００２１】
また、鍵盤シャーシ１の中間部における後部側は、鍵盤シャーシ１の強度を確保するための後側補強部１７が形成されている。この後側補強部１７の所定個所には、複数の支持ボス１８がガイド載置部８よりも高く形成されている。これら支持ボス１８上には、ゴムスイッチ４を搭載するためのスイッチ基板１９がビス止めされている。さらに、鍵盤シャーシ１の後部には、図３に示すように、鍵保持部２０が前カバー部５とほぼ同じか、それよりも少し低く形成されており、その上面には鍵支持部２１が形成されている。この鍵支持部２１には鍵２の後端部（図３では左端部）を回動可能に支持するための鍵支持軸２２が設けられている。この場合、鍵保持部２０の前側の脚部２３には、ハンマーアーム３の後端部が挿入する開口部２４が設けられている。また、この鍵保持部２０にも、取付ボス２５が垂下されており、これら取付ボス２５の下端部には、鍵保持部２０の底部を塞ぐ後側の底板２６がビス１６によって取り付けられている。
【００２２】
一方、ハンマーアーム３は、図１〜図３に示すように、鍵盤シャーシ１の中間部の上側に配置されるアーム本体２７と、このアーム本体２７の後端部（図３では左端部）に設けられた錘部２８と、アーム本体２７の前端部（図３では右端部）に設けられた鍵当接部２９と、アーム本体２７における鍵当接部２９の後部側に位置する個所に設けられた回動部３０とを備えている。そして、このハンマーアーム３は、鍵盤シャーシ１の上方から、錘部２８を鍵盤シャーシ１の鍵保持部２０における前側の脚部２３の開口部２４に挿入させた上、鍵当接部２９を鍵盤シャーシ１の鍵ガイド７の下側に配置させ、この状態で回動部３０が鍵盤シャーシ１のハンマー支持部１３に上下方向に回動自在に取り付けられるように構成されている。
【００２３】
この場合、鍵当接部２９は、図４に示すように、アーム本体２７の前端部の左右方向（つまりハンマーアーム３の配列方向）に突出する軸部２９ａと、この軸部２９ａの両端部に形成されたハンマー突起２９ｂとからなっている。また、回動部３０は、図３および図５に示すように、ハンマー支持部１３の一対の支持片１３ａ間に挿入するほぼ楕円形状の板部３１を有している。この板部３１の両面には、それぞれハンマー支持部１３の支持突起１３ｂが移動可能に挿入するガイド溝３２がハンマーアーム３の長手方向に沿って設けられていると共に、これらガイド溝３２から板部３１の下端面に亘って支持突起１３ｂが挿脱可能に挿通する挿脱溝３３が設けられている。
【００２４】
また、これらガイド溝３２内には、図３および図５に示すように、支持突起１３ｂが係脱可能に挿入する第１〜第３係止凹部３４〜３６がハンマーアーム３の長手方向に沿って所定間隔で設けられている。すなわち、第１〜第３係止凹部３４〜３６のうち、第１係止凹部３４はガイド溝３２の後端部（図３および図５では左端部）に設けられ、第２係止凹部３５はガイド溝３２の中間部に設けられ、第３係止凹部３６はガイド溝３２の前端部（図３および図５では右端部）に設けられている。これにより、回動部３０は、鍵盤シャーシ１のハンマー支持部１３の支持突起１３ｂが第１〜第３係止凹部３４〜３６のいずれかに挿入することにより、第１〜第３係止凹部３４〜３６のいずれかを中心にハンマーアーム３が上下方向に回動するように構成されている。
【００２５】
これにより、ハンマーアーム３は、鍵盤シャーシ１のハンマー支持部１３の支持突起１３ｂが回動部３０の第１〜第３係止凹部３４〜３６のいずれかに挿入した状態、例えば、図１に示すようにハンマー支持部１３の支持突起１３ｂが回動部３０の第２係止凹部３５に挿入した状態で回動可能に支持されると、通常は錘部２８の重量によってハンマーアーム３の後端部が下方に付勢され、これによりハンマーアーム３全体が図１において反時計回りに回動して前端側の鍵当接部２９を上方に付勢し、鍵２を図１において反時計回りに付勢するように構成されている。
【００２６】
鍵２は、図１〜図３に示すように、その後端部（図３では左端部）の両側面に鍵取付孔部３７が設けられ、この鍵取付孔部３７が鍵盤シャーシ１の鍵支持部２１に設けられた鍵支持軸２２に回動可能に取り付けられ、これにより鍵支持軸２２を中心に上下方向に回動するように構成されている。この鍵２の中間部には、鍵盤シャーシ１の後側補強部１７の支持ボス１８上に取り付けられたスイッチ基板１９のゴムスイッチ４を押圧するスイッチ押圧部３９が形成されている。また、この鍵２におけるスイッチ押圧部３９の前側（図３では右側）に位置する個所、つまり鍵盤シャーシ１の鍵ガイド９に対応する個所には、延出部４０が鍵２の下方に突出して延設されている。
【００２７】
この延出部４０は、図１〜図４に示すように、一対の側板部４１が鍵盤シャーシ１の鍵ガイド９の下側に突出して形成され、これら一対の側板部４１の後端部間（図３では左端部間）に補強板部４２が鍵２の上部からほぼ中間部に亘って形成された構造になっている。そして、この延出部４０の上部には、図１に示すように、鍵盤シャーシ１の鍵ガイド９が挿入する鍵ガイド部４３が補強板部４２と側板部４１とで囲われて形成されている。また、延出部４０における鍵ガイド部４３の下側には、ハンマーアーム３のハンマー突起２９ｂをガイドする第１、第２ハンマーガイド溝４４、４５が上下に平行に形成されている。さらに、延出部４０の下部には、図１に示すように、鍵２の上限位置を規制する上限ストッパ部４６が鍵２の前側（図３では右側）に向けて突出して形成されている。
【００２８】
この場合、第１、第２ハンマーガイド溝４４、４５は、図３および図４に示すように、延出部４０の一対の側板部４１における各対向面に互いに対向した状態で鍵２の長手方向に沿って形成されている。すなわち、第１ハンマーガイド溝４４は、第２ハンマーガイド溝４５の上側に位置し、鍵２の押鍵面つまり鍵２の上面とほぼ平行な直線状に形成され、音階順に配列された鍵２のうちの高音域の鍵２に対応するハンマーアーム３のハンマー突起２９ｂが移動可能に挿入するように構成されている。また、第２ハンマーガイド溝４５は、第１ハンマーガイド溝４４の下側に位置し、第１ハンマーガイド溝４４とほぼ平行な直線状に形成され、音階順に配列された鍵２のうちの低音域の鍵２に対応するハンマーアーム３のハンマー突起２９ｂが挿入するように構成されている。
【００２９】
また、上限ストッパ部４６は、図３に示すように、一対の側板部４１の下端部間における前側（図３では右側）から前方に向けて突出して形成され、この突出した部分が鍵盤シャーシ１のガイド載置部８の後脚部８ａに形成された開口部４７内に挿入され、この状態で押鍵操作に応じて開口部４７内を上下方向に移動すると共に、ガイド載置部８の上限ストッパ１０に下方から当接することにより、鍵２の上限位置を規制すると共に、ハンマーアーム３の錘部２８の下限位置をも規制するように構成されている。なお、鍵２の前端下部には、図１〜図３に示すように、鍵盤シャーシ１の下限ストッパ７に上方から当接する下限ストッパ部４８が形成されている。
【００３０】
これにより、この鍵２は、ハンマーアーム３の鍵当接部２９によって延出部４０が上方に付勢され、通常は図１に示すように延出部４０の下端部に形成された上限ストッパ部４６が鍵盤シャーシ１の上限ストッパ１０に下方から当接することにより、鍵２が初期位置である上限位置に位置規制されると共に、ハンマーアーム３の錘部２８を初期位置である下限位置に規制するように構成されている。また、この鍵２は、ハンマーアーム３の錘部２８の重量に抗して押鍵されたときに、図２に示すように、鍵２の前端部の下部に形成された下限ストッパ部４８が鍵盤シャーシ１の下限ストッパ７に上方から当接することにより、鍵２が所定の下限位置に規制されると共に、ハンマーアーム３の錘部２８を所定の上限位置に規制するように構成されている。
【００３１】
なお、ゴムスイッチ４は、図１〜図３に示すように、スイッチ基板１９の上面に配置されるゴムシートを備え、このゴムシートにドーム状の膨出部が各鍵２のスイッチ押圧部３９にそれぞれ対応して形成され、この膨出部内に可動接点が設けられ、この可動接点がスイッチ基板１９上の固定接点に接離可能に離間して対向し、押鍵動作に応じて鍵２のスイッチ押圧部３９によって膨出部が押圧されたときに、膨出部が弾性変形して可動接点が固定接点に接触し、これによりオン信号を出力するように構成されている。
【００３２】
次に、このような鍵盤装置を組み立てる場合について説明する。
この場合には、図３に示すように、予め、鍵盤シャーシ１の底部に底板１５、２６をそれぞれ取り付ける。この後、ハンマーアーム３を鍵盤シャーシ１上に配置する。このときには、ハンマーアーム３の錘部２８を鍵盤シャーシ１の鍵保持部２０における前側の脚部２３の開口部２４に挿入させた上、鍵当接部２９を鍵盤シャーシ１の鍵ガイド９の下側に配置させ、この状態で回動部３０の第１〜第３係止凹部３４〜３６のいずれかを鍵盤シャーシ１のハンマー支持部１３に設けられた支持突起１３ｂに回動自在に取り付ける。そして、鍵盤シャーシ１の中間部に設けられた支持ボス１８上にスイッチ基板１９を取り付けた後、その上方から鍵２を鍵盤シャーシ１上に取り付ける。
【００３３】
このときには、まず、鍵２の延出部４０の上部に設けられた鍵ガイド部４３に鍵盤シャーシ１の鍵ガイド９を挿入させると共に、延出部４０の下部に設けられた上限ストッパ部４６を鍵盤シャーシ１のガイド載置部８の後脚部８ａに形成された開口部４７内に挿入させて上限ストッパ１０の下側に対応させ、この状態で鍵２の延出部４０に設けられた第１、第２ハンマーガイド部４４、４５のいずれかにハンマーアーム３の鍵当接部２９のハンマー突起２９ｂを挿入する。この場合には、音階順に配列された鍵２のうち、高音域の鍵２に対応するハンマーアーム３のハンマー突起２９ｂを、図１および図２に示すように、上側の第１ハンマーガイド溝４４に挿入する。また、低音域の鍵２に対応するハンマーアーム３のハンマー突起２９ｂを、図６および図７に示すように、下側の第２ハンマーガイド溝４５に挿入する。
【００３４】
これにより、ハンマーアーム３の鍵当接部２９のハンマー突起２９ｂが鍵２の延出部４０に設けられた第１、第２ハンマーガイド溝４４、４５のいずれかに挿入されると、鍵当接部２９が第１、第２ハンマーガイド溝４４、４５のいずれかによって摺動可能に保持される。この状態で、鍵２のスイッチ押圧部３９をスイッチ基板１９のゴムスイッチ４に対応させて、鍵２の後端部の鍵取付孔部３７を鍵盤シャーシ１の鍵支持部２１の鍵支持軸２１ａに上下方向に回動可能に取り付ける。これにより、鍵盤シャーシ１上に鍵２とハンマーアーム３とが上下方向に回動可能に取り付けられる。
【００３５】
次に、このように組み立てられた鍵盤装置の作用について説明する。
この場合には、音階順に配列された鍵２に対応する全てのハンマーアーム３は、その回動部３０の第１〜第３係止凹部３４〜３６のうち、回動部３０の中間部に位置する第２係止凹部３５が鍵盤シャーシ１のハンマー支持部１３の支持突起１３ｂに回動可能に支持されているものとする。また、音階順に配列された鍵２のうち、高音域の鍵２は、図１および図２に示すように、ハンマーアーム３の鍵当接部２９のハンマー突起２９ｂが鍵２の第１ハンマーガイド溝４４に摺動可能に挿入されており、また低音域の鍵２は、図６および図７に示すように、ハンマーアーム３のハンマー突起２９ｂが鍵２の第２ハンマーガイド溝４５に摺動可能に挿入されている。このため、以下では、高音域の鍵２の場合と低音域の鍵２の場合とについて順に説明する。
【００３６】
まず、高音域の場合には、図１に示すように、ハンマーアーム３の鍵当接部２９のハンマー突起２９ｂが鍵２の延出部４０に設けられた上側の第１ハンマーガイド溝４４に挿入されており、通常はハンマーアーム３がその錘部２８の重量によって図１において反時計回りに付勢され、これによりハンマーアーム３の鍵当接部２９が鍵２の延出部４０を上方に付勢するので、鍵２の上限ストッパ部４６が鍵盤シャーシ１の上限ストッパ１０に下方から当接する。このため、鍵２が所定の初期位置である上限位置に規制されると共に、ハンマーアーム３の錘部２８が所定の下限位置に規制される。この状態で、ハンマーアーム３の錘部２８の重量に抗して鍵２を押鍵すると、図２に示すように、その鍵２が後端部の鍵支持軸２１ａを中心に時計回りに回動する。
【００３７】
このときには、鍵２の延出部４０の鍵ガイド部４３が鍵盤シャーシ１の鍵ガイド９によってガイドされるので、鍵２が横振れすることなく、円滑に鍵２の延出部３６が下方に移動する。これと同時に、鍵２の延出部４０の第１ハンマーガイド溝４４に挿入されたハンマーアーム３のハンマー突起２９ｂが鍵２の延出部４０で押し下げられるので、ハンマーアーム３のハンマー突起２９ｂが鍵２の第１ハンマーガイド溝４４内を摺動しながら、ハンマーアーム３がハンマー支持軸３１の回動部３０の第２係止凹部３５を中心に図１において時計回りに回動する。これにより、鍵２にハンマーアームの錘部２８の重量に応じたアクション荷重が付与されるので、アコースティックピアノの鍵タッチ感に近似した鍵タッチ感を得ることができる。
【００３８】
また、低音域の場合には、図６に示すように、ハンマーアーム３の鍵当接部２９のハンマー突起２９ｂが鍵２の延出部４０に設けられた下側の第２ハンマーガイド溝４５に挿入されており、通常は高音域の場合と同様にハンマーアーム３がその錘部２８の重量によって図６において反時計回りに付勢され、これによりハンマーアーム３の鍵当接部２９が鍵２の延出部４０を上方に付勢するので、鍵２の上限ストッパ部４６が鍵盤シャーシ１の上限ストッパ１０に下方から当接する。このため、鍵２が所定の初期位置である上限位置に規制されると共に、ハンマーアーム３の錘部２８が所定の下限位置に規制される。この状態で、ハンマーアーム３の錘部２８の重量に抗して鍵２を押鍵すると、図７に示すように、その鍵２が後端部の鍵支持軸２１ａを中心に時計回りに回動する。
【００３９】
このときにも、鍵２の延出部４０の鍵ガイド部４３が鍵盤シャーシ１の鍵ガイド９によってガイドされるので、鍵２が横振れすることなく、円滑に鍵２の延出部３６が下方に移動する。これと同時に、鍵２の延出部４０に設けられた第２ハンマーガイド溝４５に挿入されたハンマーアーム３のハンマー突起２９ｂが鍵２の延出部４０で押し下げられるので、ハンマーアーム３のハンマー突起２９ｂが鍵２の第２ハンマーガイド溝４５内を摺動しながら、ハンマーアーム３がハンマー支持軸３１の第２係止凹部３５を中心に図６において時計回りに回動する。これにより、鍵２にハンマーアームの錘部２８の重量に応じたアクション荷重が付与されるので、アコースティックピアノの鍵タッチ感に近似した鍵タッチ感を得ることができる。
【００４０】
この場合、高音域と低音域とでは、各鍵２の鍵荷重が異なる。すなわち、高音域と低音域との各鍵２は、鍵２が押鍵されない初期状態において、図８（ａ）に示すように、ハンマーアーム３のハンマー突起２９ｂが鍵２の延出部４０の第１、第２ハンマーガイド溝４４、４５にそれぞれ当接した位置Ｐ１、Ｐ２から鍵２の回動中心である鍵支持軸２２までの距離Ｌ１、Ｌ２がそれぞれ異なるため、各鍵２の鍵荷重Ｆが異なることになる。すなわち、ハンマーアーム３の回動中心である回動部３０の第２係止凹部３５からハンマー突起２９ｂまでの距離Ｓ１、Ｓ２が同じ長さ（Ｓ１＝Ｓ２）であるが、延出部４０における第１、第２ハンマーガイド溝４４、４５の高さが異なるため、高音域のハンマー突起２９ｂが第１ハンマーガイド溝４４に当接する位置Ｐ１と、低音域のハンマー突起２９ｂが第２ハンマーガイド溝４５に当接する位置Ｐ２との高さが異なる。
【００４１】
このため、高音域のハンマー突起２９ｂが第１ハンマーガイド溝４４に当接する位置Ｐ１から鍵２の回動中心である鍵支持軸２２までの高音域の距離Ｌ１と、低音域のハンマー突起２９ｂが第２ハンマーガイド溝４５に当接する位置Ｐ２から鍵２の回動中心である鍵支持軸２２までの低音域の距離Ｌ２とが異なり、高音域の距離Ｌ１が低音域の距離Ｌ２よりも短い（Ｌ１＜Ｌ２）。このため、高音域の鍵２の回転モーメントが低音域の鍵２の回転モーメントよりも小さくなり、これにより押鍵時における高音域側の鍵荷重Ｆが低音域側の鍵荷重Ｆよりも軽くなる。しかも、このように各鍵２が回動しても、図８（ｂ）に示すように、高音域の距離Ｌ１と低音域の距離Ｌ２とが近づくが、距離Ｌ１が距離Ｌ２よりも長くなることがないため、鍵２が回動しても、高音域の鍵荷重が低音域の鍵２と同じか、それよりも軽い。
【００４２】
また、このように鍵２が回動してハンマーアーム３を回動させたときには、図２および図７に示すように、鍵２のスイッチ押圧部３９がゴムスイッチ４を押圧して、ゴムスイッチ４をオンさせた後、鍵２の前端部の下限ストッパ部４８が鍵盤シャーシ１の前カバー部５の下限ストッパ７に上方から当接し、これにより鍵２およびハンマーアーム３の回動が停止する。この後、ハンマーアーム３はその錘部２８の重量によって上記と逆の方向に回動するので、これに伴って鍵２も上記と逆の方向に回動し、これにより鍵２およびハンマーアーム３が図１および図６に示す初期位置に戻る。
【００４３】
ところで、この鍵盤装置では低音域の鍵荷重を更に重くすることができる。この場合には、図９に示すように、ハンマーアーム３の回動部３０に設けられた第１〜第３係止凹部３４〜３６のうち、前部側の第３係止凹部３６にハンマー支持部１３の支持突起１３ｂを挿入させてハンマーアーム３を支持し、この第３係止凹部３６を中心にハンマーアーム３が回動するようにすれば良い。このように第３係止凹部３６がハンマー支持部１３で支持されると、ハンマーアーム３の回動中心である第３係止凹部３６から錘部２８までの距離が第１、第２係止凹部３４、３５を回動中心とする場合に比べて長くなるため、ハンマーアーム３の回転モーメントが大きくなり、これにより鍵荷重を重くすることができる。
【００４４】
また、低音域の鍵荷重を軽くする場合には、図１０に示すように、ハンマーアーム３の回動部３０に設けられた第１〜第３係止凹部３４〜３６のうち、後部側の第１係止凹部３４にハンマー支持部１３の支持突起１３ｂを挿入させてハンマーアーム３を支持し、この第１係止凹部３４を中心にハンマーアーム３が回動するようにすれば良い。このように第１係止凹部３４がハンマー支持部１３で支持されると、ハンマーアーム３の回動中心である第１係止凹部３４から錘部２８までの距離が第２、第３係止凹部３５、３６を回動中心とする場合に比べて短くなるため、ハンマーアーム３の回転モーメントが小さくなり、これにより鍵荷重を軽くすることができる。
【００４５】
一方、高音域の鍵荷重を更に軽くする場合には、図１０に示した低音域の場合と同様、ハンマーアーム３の回動部３０に設けられた第１〜第３係止凹部３４〜３６のうち、後部側の第１係止凹部３４にハンマー支持部１３の支持突起１３ｂを挿入させてハンマーアーム３を回動可能に支持すれば良く、逆に高音域の鍵荷重を重くする場合には、図９に示した低音域の場合と同様、ハンマーアーム３の回動部３０に設けられた第１〜第３係止凹部３４〜３６のうち、前部側の第３係止凹部３６にハンマー支持部１３の支持突起１３ｂを挿入させてハンマーアーム３を回動可能に支持すれば良い。
【００４６】
このように、この鍵盤装置によれば、鍵２の延出部４０に設けられた第１、第２ハンマーガイド溝４４、４５のうち、上側の第１ハンマーガイド溝４４に高音域のハンマーアーム３のハンマー突起２９ｂを摺動可能に挿入した高音域の場合と、下側の第２ハンマーガイド溝４５に低音域のハンマーアーム３のハンマー突起２９ｂを摺動可能に挿入した低音域の場合とで、ハンマーアーム３のハンマー突起２９ｂが第１、第２ハンマーガイド溝４４、４５に当接する位置Ｐ１、Ｐ２から鍵２の回動中心である鍵支持軸２２までの距離Ｌ１、Ｌ２を異ならせることができ、これにより高音域側の距離Ｌ１を低音域側の距離Ｌ２よりも短く（Ｌ１＜Ｌ２）することができるので、高音域側の鍵２の回転モーメントを低音域側よりも小さくすることができ、このため高音域側の鍵荷重を低音域側よりも軽くすることができる。
【００４７】
このように、鍵２の延出部４０に第１、第２ハンマーガイド溝４４、４５を鍵２の長手方向に沿って設けるだけで良いので、構造が簡単であるばかりか、鍵２の延出部４０に設けられた第１、第２ハンマーガイド溝４４、４５のいずれかにハンマーアーム３の鍵当接部２９のハンマー突起２９ｂを挿入するだけで、高音域の鍵荷重と低音域の鍵荷重とを簡単に且つ容易に変えることができるので、高音域から低音域までの全音域に亘って、鍵２およびハンマーアーム３などの各部品の共通化を図ることができ、これにより部品点数の削減を図ることができると共に、組み立て作業性の良いものを得ることができる。
【００４８】
また、この鍵盤装置では、鍵２の延出部４４に、鍵盤シャーシ１の鍵ガイド９によってガイドされる鍵ガイド部４３と、鍵２の上限位置を規制する上限ストッパ部４６とが設けられていることにより、鍵ガイド部４３が鍵盤シャーシ１の鍵ガイド９によってガイドされるため、鍵２の横振れを防ぐことができ、これによりハンマーアーム３の横振れをも防ぐことができるので、鍵２およびハンマーアーム３を上下方向に円滑に動作させることができ、またハンマーアーム３がその錘部２８の重量で回動して鍵２の延出部４０を上方に付勢しても、鍵２の延出部４０に設けられた上限ストッパ部４６によって、鍵２の上限位置が規制されるので、非押鍵時に鍵２およびハンマーアーム３を常に所定の初期位置に規制することができる。
【００４９】
さらに、この鍵盤装置では、ハンマーアーム３の回動部３０に、ハンマーアーム３の長手方向に沿って第１〜第３係止凹部３４〜３６が所定間隔で設けられ、これら第１〜第３係止凹部３４〜３６のいずれかが鍵盤シャーシ１のハンマー支持部１３の支持突起１３ｂによって回動可能に支持されるので、これら第１〜第３係止凹部３４〜３６のいずれかを適宜選択してハンマー支持部１３の支持突起１３ｂで回動可能に支持することにより、ハンマーアーム３が鍵２に付与する鍵荷重を変えることができ、これによっても鍵２の高音域と低音域とで鍵荷重を変えることができるので、より一層、アコースティックピアノの鍵タッチ感に近似した鍵タッチ感を得ることができる。
【００５０】
［第２実施形態］
次に、図１１〜図１４を参照して、この発明の鍵盤装置の第２実施形態について説明する。なお、図１〜図９に示された第１実施形態と同一部分には同一符号を付して説明する。
この鍵盤装置は、鍵２の延出部４０における鍵ガイド部４３と上限ストッパ部４６との間に位置する個所に、押鍵時に鍵２にクリック感を付与するハンマーガイド溝５０を設けた構造で、これ以外は第１実施形態とほぼ同じ構造になっている。すなわち、このハンマーガイド溝５０は、図１２および図１３に示すように、ハンマーアーム３の鍵当接部２９のハンマー突起２９ｂを移動可能にガイドするものであり、延出部４０の一対の側板部４１における対向面に鍵２の長手方向に沿って形成されている。この場合、ハンマーガイド溝５０の上側面には、押鍵時にハンマー突起２９ｂが接触して移動するガイド面５１が形成されおり、これに対向する下側面は、鍵２の押鍵面つまり鍵２の上面とほぼ平行な直線状に形成されている。
【００５１】
このようなガイド面５１は、図１３に示すように、鍵２の下方に向けて凸となる逆山形状に形成されている。すなわち、このガイド面５１は、その後部側（同図では左側）が鍵２の前側下部に向けて緩やかに傾斜する第１傾斜面５１ａに形成され、その前部側が第１傾斜面５１ａよりも急な傾斜の第２傾斜面５１ｂに形成され、更にその前端部が逆向き方向つまり鍵２の前側上方に向けて急激に傾斜する第３傾斜面５１ｃに形成されている。これにより、ガイド面５１は、押鍵時にハンマー突起２９ｂによって押し上げられる方向に押圧されながら、ハンマー突起２９ｂが第１傾斜面５１ａに沿って後部側から前部側に向けて摺動した後、第２傾斜面５１ｂに沿って前部側に向けて摺動し、この第２傾斜面５１ｂの最下部５１ｄをハンマー突起２９ｂが乗り越えると、第３傾斜面５１ｃに沿ってハンマー突起２９ｂが急激に上昇するように構成されている。
【００５２】
次に、この鍵盤装置における押鍵時の作用について説明する。
通常は、図１１に示すように、ハンマーアーム３がその錘部２８の重量によってハンマーアーム３の鍵当接部２９が鍵２の延出部４０を上方に付勢するので、鍵２の上限ストッパ部４６が鍵盤シャーシ１の上限ストッパ１０に下方から当接して、鍵２が所定の初期位置である上限位置に規制されると共に、ハンマーアーム３の錘部２８が所定の下限位置に規制される。この状態で、ハンマーアーム３の錘部２８の重量に抗して鍵２を押鍵すると、鍵２がその後端部の鍵支持軸２２を中心に図１１において時計回りに回動し、これに伴ってハンマーアーム３の鍵当接部２９のハンマー突起２９ｂが鍵２の延出部４０のハンマーガイド溝５０に沿ってガイドされながら、ハンマーアーム３がハンマー支持部１３の支持突起１３ｂに支持された回動部３０の第２係止凹部３５を中心に図１１において時計回りに回動する。
【００５３】
このときには、ハンマーアーム３の錘部２８の重量が鍵２に加わるので、図１４に示すように、鍵荷重が急激に重くなり、図１４に示すＫ１点に到達するとハンマーアーム３の回転速度がほぼ一定になるが、鍵当接部２９のハンマー突起２９ｂがハンマーガイド溝５０のガイド面５１における第１傾斜面５１ａに沿って摺動するので、鍵荷重が緩やかに上昇する。この状態で、鍵２が更に押し下げられて、図１４に示すＫ２点に到達すると、鍵２のスイッチ押圧部３９がゴムスイッチ４を押圧すると共に、鍵当接部２９のハンマー突起２９ｂがガイド面５１の第２傾斜面５１ｂに沿って摺動するので、鍵荷重が急激に上昇する。
【００５４】
そして、鍵２が最深付近の手前まで押し下げられて、図１４に示すＫ３点に到達すると、スイッチ押圧部３９がゴムスイッチ４を押圧した状態で、ハンマーアーム３のハンマー突起２９ｂが第２傾斜面５１ｂの最下部５１ｄを乗り越えて第３傾斜面５１ｃに沿って急激に上方に移動するので、図１４に示すＫ４点に向けて鍵荷重が急激に軽くなる。これにより、鍵２に抜ける感じのクリック感が付与され、レットオフ効果が得られる。この後、更に鍵２が押し下げられて、図１４に示すＫ４点からＫ５点に到達するときに、ハンマー突起２９ｂが第３傾斜面５１ｃの最上部に当接して鍵２の前端部の下限ストッパ部４８が鍵盤シャーシ１の下限ストッパ７に上方から当接するので、再び鍵荷重が急激に重くなり、図１４に示すＫ５点に到達すると、鍵２およびハンマーアーム３の回動が一旦停止する。
【００５５】
また、離鍵時には、ハンマーアーム３が錘部２８の重量によって図１１において反時計回りに回動し、これに伴ってハンマーアーム３のハンマー突起２９ｂが鍵２のハンマーガイド溝５０でガイドされながら鍵２を押し上げるので、鍵２が図１１において反時計回りに回動する。このときには、まず鍵２がほぼ自由な状態になるので、図１４に示すＫ５点からＫ６点に向けて鍵荷重が急激に軽くなる。そして、図１４に示すＫ６点に到達すると、ハンマー突起２９ｂがガイド面５１の第２傾斜面５１ｂの最下部５１ｄを越えて、ゴムスイッチ４の弾性復帰力によって鍵２が押し上げられるので、鍵荷重が少し重くなる。この後、図１４に示すＫ７点に到達すると、ゴムスイッチ４の影響を受けずに、ハンマー突起２９ｂが第１傾斜面５１ａに沿って摺動するので、鍵荷重が緩やかに軽くなる。そして、図１４に示すＫ８点に到達すると、再び鍵荷重が急激に軽くなり、鍵２の上限ストッパ部４６が鍵盤シャーシ１の上限ストッパ１０に下方から当接し、鍵２およびハンマーアーム３の回動が停止して鍵２およびハンマーアーム３が初期位置に戻る。
【００５６】
このように、この鍵盤装置によれば、押鍵時にハンマーアーム３のハンマー突起２９ｂがハンマーガイド溝５０のガイド面５１でガイドされるときに、ハンマー突起２９ｂがガイド面５１の逆山形状を形成する第１〜第３傾斜面５１ａ〜５１ｃに沿って摺動するので、ハンマー突起２９ｂが第２傾斜面５１ｂの最下部５１ｄに到達するまでの間は鍵荷重が重くなるが、第２傾斜面５１ｂの最下部５１ｄを乗り越えると、鍵荷重が急激に軽くなり、鍵２に抜ける感じのクリック感を付与することができ、これにより押鍵時における最深位置付近でレットオフ効果を付与することができる。また、離鍵時にはハンマーアーム３の鍵当接部２９がハンマーガイド溝５０のガイド面５１における第２、第３傾斜面５１ｂ、５１ｃ、および最下部５１ｄの影響をあまり受けないため、鍵荷重の変化が少なく、滑らかに鍵２を初期位置に復帰させることができる。このため、より一層、アコースティックピアノの鍵タッチ感に近似した鍵タッチ感を得ることができる。
【００５７】
なお、上記第２実施形態では、鍵２の延出部４０にハンマーガイド溝５０を１つ設けた場合について述べたが、これに限らず、図１５に示すように、第１、第２ハンマーガイド溝５５、５６を鍵２の長手方向に沿ってほぼ平行に設けた構造でも良い。このような構造にすれば、第１実施形態と同様、上側の第１ハンマーガイド溝５５で高音域側のハンマーアーム３のハンマー突起２９ａをガイドし、下側の第２ハンマーガイド溝５６で低音域側のハンマーアーム３のハンマー突起２９ａをガイドすることにより、第１実施形態と同様、高音域の鍵２と低音域の鍵２とで鍵荷重を変えることができる。
また、上記第２実施形態においても、ハンマーアーム３の回動部３０の第１〜第３係止凹部３４〜３６のいずれかを鍵盤シャーシ１のハンマー支持部１３の支持突起１３ｂで回動可能に支持させることによっても、第１実施形態と同様、鍵荷重を適宜変更することができる。
【００５８】
また、上記第１実施形態および第２実施形態の変形例では、鍵２の延出部４０に第１、第２ハンマーガイド溝４４、４５、または５５、５６を２つ設けた場合について述べたが、これに限らず、例えばハンマーガイド溝を３つ、または４つ以上設けても良い。例えば、ハンマーガイド溝を３つ設ければ、鍵２の高音域と低音域とに限らず、中音域の鍵荷重をも変えることができ、また４つ以上設ければ、高音域、中音域、および低音域を更に細かく分けてそれぞれの音域に応じて鍵荷重を、より一層、細かく変えることができる。
【００５９】
【発明の効果】
以上説明したように、請求項１に記載の発明によれば、鍵の延出部に複数のハンマーガイド部を鍵の長手方向に沿ってほぼ平行に設け、これら複数のハンマーガイド部のいずれかでハンマーアームの一端部を移動可能にガイドするようにしたので、上側に位置するハンマーガイド部でハンマーアームの一端部を移動可能にガイドする第１の場合と、下側に位置するハンマーガイド部でハンマーアームの一端部を移動可能にガイドする第２の場合とで、ハンマーアームの一端部が上下の各ハンマーガイド部に当接した各位置から鍵の回動中心までの各距離を異ならせることができ、これにより第１の場合と第２の場合とで鍵の回転モーメントに差が生じ、これにより第１の場合と第２の場合とで鍵荷重を変えることができる。
【００６０】
このため、例えば、高音域のハンマーアームの一端部を上側のハンマーガイド部でガイドする第１の場合における鍵の回転モーメントを、低音域のハンマーアームの一端部を下側のハンマーガイド部でガイドする第２の場合の鍵２の回転モーメントよりも小さくすることができるので、高音域側の鍵荷重を低音域側の鍵荷重よりも軽くすることができ、これによりアコースティックピアノの鍵タッチ感に近似した鍵タッチ感を得ることができる。このように鍵の延出部に複数のハンマーガイド部を鍵の長手方向に沿ってほぼ平行に設けるだけで良いので、構造が簡単であるばかりか、鍵の延出部に設けられた複数のハンマーガイド部のいずれかでハンマーアームの一端部をガイドするだけ、簡単に且つ容易に高音域と低音域とで鍵荷重を変えることができるので、高音域から低音域の全音域に亘って鍵およびハンマーアームなどの部品の共通化を図り、部品点数の削減を図ることができると共に、組み立て作業性の良いものを得ることができる。
【００６１】
請求項２に記載の発明によれば、鍵の延出部にハンマーアームの一端部を移動可能にガイドして鍵に付与されるアクション荷重を変化させるハンマーガイド部を鍵の長手方向に沿って設けたことにより、鍵を押鍵して延出部を下方に変位させると、これに伴ってハンマーアームの一端部が下方に押し下げられながらハンマーガイド部でガイドされ、このときにハンマーガイド部によって鍵に付与されるアクション荷重を変化させることができるので、ハンマーガイド部の形状を所望の形状に形成することにより、押鍵時における最深位置付近で鍵荷重が急激に軽くなるレットオフ効果を付与することができ、これによりアコースティックピアノの鍵タッチ感に近似した鍵タッチ感を得ることができる。このため、鍵の延出部にハンマーガイド部を鍵の長手方向に沿って設けるだけで良いので、構造が簡単で、先行文献のようなレットオフ効果を付与する専用の部品が不要であるから、部品点数を大幅に削減することができると共に、組み立て作業性の良いものを得ることができる。
【００６２】
この場合、特にハンマーガイド部には、押鍵時にハンマーアームの一端部をガイドするガイド面が、鍵の下方に向けて凸となる形状に形成されていることにより、押鍵時にハンマーアームの一端部がガイド面に沿って移動してガイド面の凸形状の先端つまり最下部に到達するまでの間は鍵荷重を重くすることができ、ガイド面の凸形状の先端を乗り越えると、鍵荷重が急激に軽くなり、これにより押鍵時における最深位置付近で鍵荷重を急激に軽くして鍵に抜ける感じのクリック感を付与することができるので、確実にレットオフ効果を得ることができる。
【図面の簡単な説明】
【図１】この発明の鍵盤装置の第１実施形態における高音域側を示した断面図。
【図２】図１の鍵を押鍵した状態の断面図。
【図３】図１の鍵盤装置を分解した状態を示した断面図。
【図４】図３のＡ−Ａ矢視における鍵の延出部の拡大断面図。
【図５】図１のＢ−Ｂ矢視におけるハンマーアームの回動部の拡大断面図。
【図６】図１の鍵盤装置における低音域側を示した断面図。
【図７】図６の鍵を押鍵した状態の断面図。
【図８】図１および図６の高音域と低音域とにおける鍵の回転モーメントの原理を示し、（ａ）はその初期状態を示した図、（ｂ）はその押鍵時における状態を示した図。
【図９】図６の鍵盤装置においてハンマーアームの回動中心を第３係止凹部に設定した状態を示した断面図。
【図１０】図９の鍵盤装置においてハンマーアームの回動中心を第１係止凹部に設定した状態を示した断面図。
【図１１】この発明の鍵盤装置の第２実施形態を示した断面図。
【図１２】図１１の鍵を示した断面図。
【図１３】図１２のハンマーガイド溝を拡大した図。
【図１４】図１１の鍵盤装置における鍵荷重と鍵ストロークとの関係を示した図。
【図１５】第２実施形態の鍵の変形例を示した図。
【符号の説明】
１  鍵盤シャーシ
２  鍵
３  ハンマーアーム
９  鍵ガイド
１３  ハンマー支持部
１３ｂ  支持突起
２１  鍵支持部
２２  鍵支持軸
２７  アーム本体
２８  錘部
２９  鍵当接部
２９ｂ  ハンマー突起
３０  回動部
３４〜３６  第１〜第３係止凹部
３７  鍵取付孔部
４０  延出部
４３  鍵ガイド部
４４、４５  第１、第２ハンマーガイド溝
４６  上限ストッパ部
４８  下限ストッパ部
５０  ハンマーガイド溝
５１  ガイド面
５１ａ〜５１ｃ  第１〜第３傾斜面
５１ｄ  第２傾斜面の最下部
５５、５６  第１、第２ハンマーガイド溝
【図１】
2004252246.tif 000003
【図２】
2004252246.tif 000004
【図３】
2004252246.tif 000005
【図４】
2004252246.tif 000006
【図５】
2004252246.tif 000007
【図６】
2004252246.tif 000008
【図７】
2004252246.tif 000009
【図８】
2004252246.tif 000010
【図９】
2004252246.tif 000011
【図１０】
2004252246.tif 000012
【図１１】
2004252246.tif 000013
【図１２】
2004252246.tif 000014
【図１３】
2004252246.tif 000015
【図１４】
2004252246.tif 000016
【図１５】
2004252246.tif 000017